(57)【要約】【課題】複数台の電子機器を合わせた幅が１９インチに近い場合であっても、サーバラックの同一段に当該複数の電子機器を装着することができ、サーバラックの限られた空間を有効に利用することが可能な実用性の高い電子機器の取付構造を提供する。【解決手段】サーバラックに２台の電子機器１ａ，１ｂを取り付る場合には、２個一組のジョイント金具４ａ，４ｂを用い、第一ジョイント金具４ａの側板８を第一の電子機器１ａの側面に固着させ、第二ジョイント金具４ｂを裏返した状態で当該第二ジョイント金具４ｂの側板８を第二の電子機器１ｂの側面に固着させる。そして、第一の電子機器１ａに固着された第一ジョイント金具４ａの平板部７と第二の電子機器１ｂに固着された第二ジョイント金具４ｂの平板部７とを上下方向に重ねて固着させる。【選択図】図３
2008227273.tif 000002
【特許請求の範囲】
【請求項１】
サーバラック内へサーバ装置やディスク装置等の電子機器を取り付けるための取付構造であって、
矩形状の平板部の片側縁に側板を垂直に設けてなる２個一組のジョイント金具を用いて、
片方のジョイント金具である第一ジョイント金具の側板を第一の機器の側面に固着させ、他方のジョイント金具である第二ジョイント金具を裏返した状態で当該第二ジョイント金具の側板を第二の機器の側面に固着させるとともに、第一の機器に固着された第一ジョイント金具の平板部と第二の機器に固着された第二ジョイント金具の平板部とを上下方向に重ねて固着させることを特徴とする電子機器の取付構造。
【請求項２】
第一ジョイント金具および第二ジョイント金具が、帯状の固定板を前端縁に側板と同一方向となるように垂直に設けたものであり、
上下方向に重なって固着し合った第一ジョイント金具および第二ジョイント金具のそれぞれの固定板を利用して、装飾用の前面板を固着することを特徴とする請求項１に記載の電子機器の取付構造。
【発明の詳細な説明】
【技術分野】
【０００１】
本発明は、ＥＩＡ規格のサーバラック内へサーバ装置やディスク装置等の各種の電子機器を取り付けるための取付構造に関するものである。
【背景技術】
【０００２】
コンピュータシステムのサーバ装置やディスク装置、ネットワーク機器等の電子機器を搭載するサーバラックとして、米国電子工業会（Electronic Industries Alliance）によって定められた規格（すなわち、ＥＩＡ規格）のラックが広く利用されている（特許文献１）。このＥＩＡ規格のサーバラックは、電子機器の取付寸法が幅１９インチ（約４８２．６ｍｍ）、高さ１．７５インチ（約４４．４５ｍｍ、１Ｕと称される）の倍数（１Ｕ，２Ｕ，・・・，ｎＵ）に設定されている。また、サーバラックを構成する支柱に、上記取付寸法に基づいて電子機器を取り付けるための取付穴が穿設されている。
【０００３】
上記したＥＩＡ規格のサーバラックに取り付けられる電子機器は、幅が１９インチである場合には、電子機器の左右の側面に、それぞれ、断面Ｌ字状のマウント金具が、一部を電子機器の前端縁から左右外側へ突出させるように螺着される。そして、そのように電子機器の左右の側面に螺着された各マウント金具を利用してサーバラックに取り付けられる。また、電子機器の幅が１９インチに満たない場合には、図５の如く、断面Ｌ字状のジョイント金具（電子機器５１の幅と合わせた幅が１９インチになるように設計された金具）５２が用いられ、電子機器５１の片側の側面に、マウント金具５３が螺着され、他方の側面に、ジョイント金具５２が螺着され、それらのマウント金具５３、ジョイント金具５２を利用してサーバラックに取り付けられる。
【０００４】
さらに、複数台（たとえば、２台）の電子機器を合わせた幅が１９インチに満たない場合には、断面コ字状のジョイント金具（２台の電子機器の幅と合わせた幅が１９インチになるように設計された金具）が用いられ、２台の電子機器が、断面コ字状のジョイント金具によって連結されてサーバラックに取り付けられる。
【０００５】
【特許文献１】特開２００６−３２８４２号公報
【発明の開示】
【発明が解決しようとする課題】
【０００６】
しかしながら、複数台（たとえば、２台）の電子機器を合わせた幅が１９インチに近い場合には、ねじ回しを利用して断面コ字状のジョイント金具によって２台の電子機器を螺着することができないため、サーバラックの同一段には、断面Ｌ字状のジョイント金具を利用して１台の電子機器のみを取り付け、他の電子機器は、サーバラックの別の段に取り付けざるを得ず、サーバラックの限られた空間を有効に利用することができなかった。
【０００７】
本発明の目的は、上記従来の電子機器の取付構造の問題点を解消し、複数台（たとえば、２台）の電子機器を合わせた幅が１９インチに近い場合であっても、サーバラックの同一段に当該複数の電子機器を取り付けることができ、サーバラックの限られた空間を有効に利用することが可能な実用性の高い電子機器の取付構造を提供することにある。
【課題を解決するための手段】
【０００８】
かかる本発明の内、請求項１に記載された発明は、サーバラック内へサーバ装置やディスク装置等の電子機器を取り付けるための取付構造であって、矩形状の平板部の片側縁に側板を垂直に設けてなる２個一組のジョイント金具を用いて、片方のジョイント金具である第一ジョイント金具の側板を第一の機器の側面に固着させ、他方のジョイント金具である第二ジョイント金具を裏返した状態で当該第二ジョイント金具の側板を第二の機器の側面に固着させるとともに、第一の機器に固着された第一ジョイント金具の平板部と第二の機器に固着された第二ジョイント金具の平板部とを上下方向に重ねて固着させることを特徴とするものである。
【０００９】
請求項２に記載された発明は、請求項１に記載された発明において、第一ジョイント金具および第二ジョイント金具が、帯状の固定板を前端縁に側板と同一方向となるように垂直に設けたものであり、上下方向に重なって固着し合った第一ジョイント金具および第二ジョイント金具のそれぞれの固定板を利用して、装飾用の前面板を固着することを特徴とするものである。
【発明の効果】
【００１０】
請求項１に記載された電子機器の取付構造は、複数台の電子機器を例えばＥＩＡ規格のサーバラックに装着する際に、複数台の電子機器を合わせた幅が１９インチに近く、従来のジョイント金具ではねじ回しが入らないため電子機器同士を連結できないような場合であっても、容易に当該複数の電子機器を連結して、サーバラックの同一段に装着することができる。したがって、請求項１に記載された電子機器の取付構造によれば、サーバラックの限られた空間を有効に利用して多くの電子機器をサーバラックに取り付けることが可能となる。
【００１１】
請求項２に記載された電子機器の取付構造によれば、サーバラックへの取り付け後の電子機器と電子機器との間に前面板を配置するので、取付強度が向上し、取り付け後の見栄えが良好なものとなる。
【発明を実施するための最良の形態】
【００１２】
以下、本発明の電子機器の取付構造の一実施形態について、図面に基づいて詳細に説明する。図１は、ＥＩＡ規格のサーバラックに取り付けられる電子機器を示したものである。電子機器１は、上記した１Ｕの整数倍の高さおよび１９インチ（４８２．６ｍｍ）に満たない幅を有する直方体形状に形成されている。そして、左右の側面の前後に、それぞれ、後述するジョイント金具を取り付けるための金具取付穴２が上下に位置するように２個ずつ穿設されている。
【００１３】
図２は、電子機器１をサーバラックに取り付けるための取付金具ユニットを示したものであり、取付金具ユニット３は、２個の電子機器１，１を連結するための同一形状の２個のジョイント金具４ａ，４ｂ、ジョイント金具４ａ，４ｂの前面に取り付けるための前面板５、電子機器１をサーバラックに固着させるための２個のマウント金具６，６、および取り付けネジ（図示せず）によって構成されている。なお、２個のジョイント金具４ａ，４ｂは同一形状のものであるが、以下の説明においては、便宜上、第一ジョイント金具４ａ、第二ジョイント金具４ｂとする。
【００１４】
第一ジョイント金具４ａは、金属板（たとえば、ステンレス板等）を折り曲げることによって一体的に形成されたものである。そして、矩形状の平板部７の長手方向の片端縁、および、平板部７の幅方向の片端縁に、それぞれ、一定幅の帯状の側板８と、一定幅の帯状の固定板９とが、平板部７と垂直になるように設けられている（なお、以下の説明では、平板部７の側板８および固定板９の折返し側の面を表面とする）。また、側板８の基端（平板部７との接合部分）の左右両端際には、切り込み１０，１０が設けられている。加えて、平板部７の寸法は、２台の電子機器１，１の幅と合わせて１９インチとなるように設計されている。
【００１５】
また、側板８の左右の両端際には、それぞれ、電子機器１と螺着するためのネジ穴１１，１１が穿設されており、固定板９の左右の両端際には、それぞれ、前面板５と螺着するためのネジ穴１２，１２が穿設されている。なお、側板８の左右の両端際に穿設されたネジ穴１１，１１同士の間隔は、電子機器１の側面に穿設された金具取付穴２，２同士の間隔と同一になっている。さらに、平板部７の四隅際には、他方のジョイント金具（第二ジョイント金具４ｂ）の平板部７と螺着するための接合用ネジ通し穴１３，１３・・が穿設されている。
【００１６】
一方、前面板５も、ジョイント金具４ａ，４ｂと同様に、金属板（たとえば、ステンレス板等）を折り曲げることによって形成されたものである。そして、矩形状の平板部１４の長手方向の両端縁に、それぞれ、一定幅の帯状の折返し板１５，１５が、平板部１４と垂直になるように設けられている。また、平板部１４の裏面側の四隅際には、雌ネジが刻設された円柱状のボス１６，１６・・が平板部１４に対して垂直になるように設けられている。なお、同一の高さに位置した２つのリブ１６，１６同士の間隔は、ジョイント金具４ａ，４ｂの各固定板９に穿設されたネジ穴１２，１２同士の間隔と同一になっている。
【００１７】
また、マウント金具６は、金属板を折り曲げることによって形成されており、電子機器１に固着させるための機器用固着片１７とサーバラックに固着させるためのラック用固着片１８とが直交した状態になっている。そして、機器用固着片１７には、２個の機器固着穴１９，１９が穿設されており、ラック用固着片１８には、長穴形状の２個のラック固着穴２０，２０が穿設されている。
【００１８】
図３は、上記した取付金具ユニット３を用いて２個の電子機器１，１を横方向に連結し、それらの電子機器１，１を、１９インチの幅を有するＥＩＡ規格のサーバラック（図示せず）に取り付ける様子を示したものである。なお、取り付けられる２台の電子機器１，１は同一形状のものであるが、以下の説明においては、便宜上、第一の電子機器１ａ、第二の電子機器２ｂとする。
【００１９】
２台の電子機器１ａ，１ｂを横方向に連結するには、平板部７の表面が上向きになり固定板９が前側に位置するように配置したジョイント金具（第一ジョイント金具）４ａの側板８を、電子機器１の片側面（前方から見て右側の側面）に当接させる。そして、側板８に穿設されたネジ穴１１，１１と電子機器１の側面に穿設された金具取付穴２，２（左右の上側の金具取付穴２，２）とを利用して、ネジ２１，２１によって第一ジョイント金具４ａを電子機器１の側面に螺着する。また、平板部７の表面が下向きになり固定板９が前側に位置するように配置したジョイント金具（第二ジョイント金具）４ｂの側板８を、他方の電子機器１ｂの片側面（前方から見て左側の側面）に当接させる。そして、側板８に穿設された左右一対のネジ穴１１，１１と電子機器１の側面に穿設された金具取付穴２，２（左右の下側の２個の金具取付穴２，２）とを利用して、ネジ２１，２１によって第二ジョイント金具４ｂを電子機器１の側面に螺着する（図３（ａ）参照）。
【００２０】
しかる後、電子機器１ａに固着された第一ジョイント金具４ａの平板部７の裏面と、電子機器１ｂに固着された第二ジョイント金具４ｂの平板部７の裏面とを接合させて、第一ジョイント金具４ａの平板部７に穿設された接合用ネジ通し穴１３，１３・・と第二ジョイント金具４ｂの平板部７に穿設された接合用ネジ通し穴１３，１３・・とを利用して、ネジ２２，２２・・によって、接合し合った第一ジョイント金具４ａと第二ジョイント金具４ｂとを螺着する。かかる螺着によって、２台の電子機器１ａ，１ｂが連結された状態となる。さらに、図３（ｂ）の如く、前面板５の裏面のリブ１６，１６・・の内の上側の２個と、第一ジョイント金具４ａの固定板９のネジ穴１２，１２とを利用して、前面板５と第一ジョイント金具４ａをネジ２３，２３で螺着するとともに、前面板５の下側の２個のリブ１６，１６と、第二ジョイント金具４ｂの固定板９のネジ穴１２，１２とを利用して、前面板５と第二ジョイント金具４ｂをネジ２３，２３で螺着することによって、第一ジョイント金具４ａ、第二ジョイント金具４ｂの前方に前面板５を固着させる。
【００２１】
２台の電子機器１ａ，１ｂを連結し、前面板５を固着させた後には、各電子機器１ａ，１ｂの外側の側面の金具取付穴２，２を利用して、各電子機器１ａ，１ｂの外側の側面に、それぞれ、マウント金具６，６を螺着させる。図４（ａ），（ｂ）は、それぞれ、連結されてマウント金具６，６が取り付けられた２台の電子機器１ａ，１ｂを後方から見た状態、前方から見た状態を示したものである。そして、電子機器１ａ，１ｂの外側に位置した各マウント金具６，６のラック用固着片１８，１８を、取付ネジ（図示せず）によってサーバラックに螺着させることによって、電子機器１ａ，１ｂのサーバラックへの取り付けを完了する。
【００２２】
上記した電子機器の取付構造は、２個一組のジョイント金具４ａ，４ｂを用い、第一ジョイント金具４ａの側板８を第一の電子機器１ａの側面に固着させ、第二ジョイント金具４ｂを裏返した状態で第二ジョイント金具４ｂの側板８を第二の電子機器１ｂの側面に固着させるとともに、第一の電子機器１ａに固着された第一ジョイント金具４ａの平板部７と第二の電子機器１ｂに固着された第二ジョイント金具４ｂの平板部７とを上下方向に重ねて固着させるものである。したがって、２台の電子機器１ａ，１ｂの幅を１９インチから差し引いた間隔が狭く、ねじ回しが入らないことが想定されるような場合であっても、容易にそれらの電子機器１ａ，１ｂを連結して、サーバラックの同一段に装着することができる。したがって、上記した電子機器の取付構造によれば、サーバラックの限られた空間を有効に利用して多くの電子機器をサーバラックに取り付けることが可能となる。
【００２３】
また、上記した電子機器の取付構造によれば、電子機器の横幅が１９インチの１／２未満であれば、どのような寸法であっても、ジョイント金具４ａ，４ｂの横幅を調整することによって、電子機器を連結させた状態で、サーバラックへ取り付けることができる。さらに、上記した電子機器の取付構造によれば、取り付けられる電子機器の正面および背面がサーバラックへ取り付けるための部材で覆われたりしないので、サーバラックへの取り付け後の見栄えが良い上、電子機器同士の連結部材（取付金具ユニット３）が電気配線の邪魔になる事態が生じない。加えて、上記した電子機器の取付構造は、電子機器に螺着させたジョイント金具４ａ，４ｂ同士を螺着することにより複数の電子機器を連結するものであるので、ネジ回しのみで非常に容易にサーバラックへ取り付けることができる。
【００２４】
また、上記した電子機器の取付構造は、第一ジョイント金具４ａおよび第二ジョイント金具４ｂが、帯状の固定板９を前端縁に側板８と同一方向となるように垂直に設けたものであり、上下方向に重なって固着し合った第一ジョイント金具４ａおよび第二ジョイント金具４ｂのそれぞれの固定板９，９を利用して、装飾用の前面板５を固着するものであり、取り付け後の電子機器と電子機器との間に前面板５を配置させることができるので、取付強度が向上し、取り付け後の見栄えも良好になる。
【００２５】
なお、本発明の電子機器の取付構造の構成は、上記実施形態の態様に何ら限定されるものではなく、第一ジョイント金具、第二ジョイント金具、前面板等の構成を、本発明の趣旨を逸脱しない範囲で、必要に応じて適宜変更できる。
【００２６】
たとえば、第一ジョイント金具、第二ジョイント金具、前面板の材質は、ステンレスに限定されず、鉄やアルミニウム等の他の金属や、硬質の合成樹脂やセラミックス等に変更することも可能である。
【産業上の利用可能性】
【００２７】
本発明の電子機器の取付構造は、上記の如く優れた効果を奏するものであるため、ＥＩＡ規格のサーバラックに各種の電子機器を取り付けるための取付構造として好適に用いることができる。
【図面の簡単な説明】
【００２８】
【図１】サーバラックに取り付けられる電子機器を示す斜視図である。
【図２】サーバラックに電子機器を取り付ける本発明の取付金具を示す斜視図である。
【図３】取付金具によって電子機器を連結する様子を示す斜視説明図である。
【図４】取付金具によって電子機器が連結された状態を示す斜視説明図である。
【図５】従来の取付構造を示す斜視説明図である。
【符号の説明】
【００２９】
１（１ａ，１ｂ）・・電子機器、４（４ａ，４ｂ）・・ジョイント金具、５・・前面板、８・・側板、９・・固定板。
【図１】
2008227273.tif 000003
【図２】
2008227273.tif 000004
【図３】
2008227273.tif 000005
【図４】
2008227273.tif 000006
【図５】
2008227273.tif 000007